(57)【要約】      （修正有）【課題】貴金属インゴットの刻印工程において、刻印部材を保持している手をハンマーによる打撃から保護し、災害を防ぐことにより、刻印工程の効率を向上させる刻印治具を提供する。【解決手段】刻印治具は、刻印部材をはさむバンド部分２とバンド部分２の先端には刻印部材固定用のボルト穴とを有し、該バンド部分２は柄付き取っ手４に溶接され、作業者は、固定された刻印治具の柄付き取っ手部分４を保持し、もう片方の手で、刻印治具に固定された刻印部材１をハンマーで打撃することにより、保持した手を保護する。【選択図】図１
2008110551.tif 000002
【特許請求の範囲】
【請求項１】
刻印部材をはさむバンド部分と、バンド部分の先端には刻印部材固定用のボルト穴とを有し、該バンド部分は柄付き取っ手に溶接され、柄付き取っ手の下部にはガードが取り付けられたことを特徴とする、貴金属インゴット用の刻印治具。
【発明の詳細な説明】
【技術分野】
【０００１】
本発明は、非鉄金属製錬における製品のひとつである、貴金属インゴットの刻印工程において使用する治具に関するものである。
【背景技術】
【０００２】
非鉄金属製錬における製品のひとつである貴金属インゴットの鋳造においては、所定の重量から秤量器の最小目盛り分でも不足があったり、鋳込み面の光沢が乏しかったり、引け巣やしわが顕著であったりすると、商品価値が無くなるといった厳しい条件が課されているため、例えば特許第2874526号公報（特許文献１）には、高精度の重量制御、良好な鋳込み面の光沢の確保、引け巣やしわの発生を極力抑制した鋳造方法が記載されている。
【０００３】
上記のように、所定の重量および形状に鋳造され、鋳込み面の光沢、引け巣、しわの品質検査された貴金属インゴットは、次工程である刻印工程において、重量や品位などの刻印を打刻する。この打刻工程では、通常、熟練した作業者が、手で刻印部材を保持して打刻作業を行っているが、刻印部材を手で保持することから打刻の際、刻印部材が非常に不安定で正確な刻印を打刻することは極めて困難であり、それゆえ熟練した作業者が必要となっているものである。しかしながら、技能としての熟練度は作業者によって異なるために、刻印部材を保持している手を誤ってハンマーで打撃し、負傷するという災害が発生することがある。
【０００４】
上記の災害が発生すると、短期的には交替作業者の確保ができるまで刻印工程が停止し、また、中長期的には罹災作業者の治療を始め、災害原因の追究、再発防止策の検討、他職場への事例周知など、安全衛生上の対応に少なからぬ工数を要し、刻印工程だけでなく工場全体の作業効率を低下させてしまうため、貴金属インゴットへの刻印工程において、上記の災害を防止することは重要である。
【０００５】
被刻印対象物が貴金属インゴットでない場合には、例えば特開平10-6630号公報（特許文献２）において、被刻印対象物に着脱自在であって、取り付けた際には堅固に被刻印対象物に固定可能であり、誰にでも正確に刻印することが可能な刻印治具が提供されており、この治具を使用すれば作業者が直接刻印部材を保持する必要が無いため、上記災害に遭遇することは無い。ところが、刻印対象物が貴金属インゴットの場合に適用しようとすれば、治具を固定する際に貴金属インゴット表面に固定痕が残るため、貴金属インゴットとしての商品価値が著しく損なわれてしまうという問題点がある。
【０００６】
また、例えば実開昭60-096056号公報（特許文献３）において、被刻印対象物に対する刻印部材の安定性と刻印の正確な位置決めをすることが可能な刻印部材の保持治具が提供されているが、保持治具に刻印部材をセットし、保持治具を手で保持し、ハンマーによる打撃により打刻する際に、作業者の手をハンマーが振り下ろされる軌道近傍に置かねばならないため、上記災害の防止には効果がないという問題点がある。
【０００７】
上記のような理由で、貴金属インゴットの刻印工程において、貴金属インゴットの商品価値を損なうことなく災害を防止できる刻印治具が要請されている。
【特許文献１】特許第2874526号公報
【特許文献２】特開平10-6630号公報
【特許文献３】実開昭60-096056号公報
【発明の開示】
【発明が解決しようとする課題】
【０００８】
本発明は、貴金属インゴットの刻印工程において、刻印部材を保持している手をハンマーによる打撃から保護し、災害を防ぐことにより、刻印工程の効率を向上させる刻印治具を提供することを目的とする。
【課題を解決するための手段】
【０００９】
上記の目的を達成するため、本発明においては、刻印部材をはさむバンド部分と、バンド部分の先端には刻印部材固定用のボルト穴とを有し、該バンド部分は柄付き取っ手に溶接され、柄付き取っ手の下部にはガードが取り付けられたことを特徴とする、貴金属インゴット用の刻印治具を提供する。
【発明の効果】
【００１０】
本発明により、貴金属インゴットの刻印工程において、刻印部材を保持している手をハンマーによる打撃から保護し、災害を防ぐことが可能となり、刻印工程の効率を向上させる刻印治具を提供することができる。
【発明を実施するための最良の形態】
【００１１】
以下、本発明の刻印治具について詳細に説明する。
【００１２】
本発明の刻印治具は、刻印部材をはさむバンド部分と、バンド部分の先端には刻印部材固定用のボルト穴とを有し、該バンド部分は柄付き取っ手に溶接され、柄付き取っ手の下部にはガードが取り付けられた形態を具備している。
【００１３】
作業者は、刻印部材を本発明の刻印治具のバンド部分に装入し、ボルト、ナットにて締め付けて固定し、片方の手で刻印部材が固定された刻印治具の柄付き取っ手部分を保持し、もう片方の手で、刻印治具に固定された刻印部材をハンマーで打撃することにより、刻印作業を実施する。
【００１４】
本発明の刻印治具を使用して刻印作業を実施することにより、作業者の手はハンマーが振り下ろされる軌道近傍から離れることになり、上記の災害を防止することができる。さらに、ハンマーを振り下す軌道が刻印部材をずれて、刻印治具のバンド部分を打撃したとしても、柄付き取っ手部分にガードが取り付けられているために、作業者の手が、柄付き取っ手部分と、被刻印対象物の間に挟まれて負傷するという新たな災害に遭遇することも無い。
【実施例】
【００１５】
図１は、本発明の刻印治具に刻印部材を固定した時の概略図である。
【００１６】
図１中、１は刻印部材である。２から６の全体が本発明の刻印治具である。作業者は図１に示すように、本発明の刻印治具に刻印部材１を固定し、柄付き取っ手部分４を保持し、刻印部材１の上端部をハンマーによって打撃する。
【００１７】
万一、ハンマーの軌道がずれてバンド部分２を打撃しても、刻印部材を固定した刻印治具を保持した手が直接打撃されることは無く、同時に、バンド部分２を打撃することにより、柄付き取っ手部分４が下方に動いたとしても、ガード部分５があるため、作業者の手は柄付き取っ手部分４と、被刻印対象物との間に挟まれて負傷することは無い。
【産業上の利用可能性】
【００１８】
本発明に係る刻印治具は、一般的な刻印作業用だけで無く、ケガキ時のポンチ作業用、加工物切断時のタガネ作業用、パッキン製作時の穴あけポンチ作業用など、ハンマーの打撃力を利用する作業において災害を防止し、作業効率を向上させるものとして有用である。
【図面の簡単な説明】
【００１９】
【図１】本発明の刻印治具に刻印部材を固定した時の概略図である。
【符号の説明】
【００２０】
１．刻印部材
２．バンド部分
３．ボルト
４．柄付き取っ手
５．ガード
６．ナット
【図１】
2008110551.tif 000003